(57)【要約】【課題】電線に装着された際に磁性体をより適切な状態で保持可能な雑音電流吸収具用の保持具、及び雑音電流吸収具を提供すること。【解決手段】雑音電流吸収具１の保持具３は、磁性体５Ａ，５Ａのそれぞれを収納する一対の収納部１０，１０を有し、収納部１０，１０それぞれに磁性体Ａ，５Ａそれぞれを収納して、収納部１０，１０間に電線２を挟み込むかたちで電線２の外周に装着すると、筒状となった一対の磁性体５Ａ，５Ａが電線２の外周を取り囲む位置で保持される状態になる。収納部１０の第二側壁１２側には、一対の収納部１０，１０それぞれが備える延出片２０，２０を互いに所定距離以下まで接近させる外力が作用した際に、一対の収納部１０，１０それぞれの第二側壁１２，１２が互いに離間する方向へ変位するのを阻止する阻止部として、嵌合部２１，２１及び被嵌合部２２，２２が設けられている。【選択図】図１
2014135871.tif 000002
【特許請求の範囲】
【請求項１】
互いに当接させると全体として筒状又は環状になる一対の磁性体のそれぞれを収納する一対の収納部を有し、前記収納部それぞれに前記磁性体それぞれを収納して、前記収納部間に電線を挟み込むかたちで当該電線の外周に装着すると、前記筒状又は環状となった前記一対の磁性体が前記電線の外周を取り囲む位置で保持される状態になる雑音電流吸収具用の保持具であって、
前記収納部は、前記電線の軸方向における前記収納部の両端のうち、一端を画定する第一側壁と、他端を画定する第二側壁と、前記第一側壁と前記第二側壁との間で前記収納部の外周部分を画定する周壁とを備え、
前記第一側壁には、前記電線に沿って前記収納部の外側に向かって延出する延出片が設けられ、
前記収納部の前記第二側壁側には、前記一対の収納部それぞれが備える延出片を互いに所定距離以下まで接近させる外力が作用した際に、前記一対の収納部それぞれの前記第二側壁が互いに離間する方向へ変位するのを阻止する阻止部が設けられ、
前記阻止部は、一方の前記収納部から他方の前記収納部に向かって突出する嵌合部が、他方の前記収納部に設けられた被嵌合部に嵌合することで、前記第二側壁が互いに離間する方向へ変位するのを阻止する構造とされ、
前記嵌合部は、当該嵌合部の突出方向から見て前記電線の軸方向と平行な方向の長さが前記電線の軸方向に垂直な方向の長さよりも長い形状とされるか、前記第二側壁との間に空隙をなす位置に形成されることにより、当該嵌合部又は前記第二側壁の変形を伴って前記嵌合部の先端が前記電線の軸方向へ変位するのを抑制してある
ことを特徴とする保持具。
【請求項２】
前記嵌合部は、当該嵌合部の突出方向から見て前記電線の軸方向と平行な方向の長さが前記電線の軸方向に垂直な方向の長さよりも長い形状とされていて、しかも、前記電線の軸方向と平行な箇所において前記周壁と一体成形されるとともに、前記電線の軸方向に垂直な箇所において前記第二側壁と一体成形されている
ことを特徴とする請求項１に記載の保持具。
【請求項３】
互いに当接させると全体として筒状又は環状になる一対の磁性体と、
前記一対の磁性体のそれぞれを収納する一対の収納部を有し、前記収納部それぞれに前記磁性体それぞれを収納して、前記収納部間に電線を挟み込むかたちで当該電線の外周に装着すると、前記筒状又は環状となった前記一対の磁性体が前記電線の外周を取り囲む位置で保持される状態になる保持具と
を備えた雑音電流吸収具であって、
前記収納部は、前記電線の軸方向における前記収納部の両端のうち、一端を画定する第一側壁と、他端を画定する第二側壁と、前記第一側壁と前記第二側壁との間で前記収納部の外周部分を画定する周壁とを備え、
前記第一側壁には、前記電線に沿って前記収納部の外側に向かって延出する延出片が設けられ、
前記収納部の前記第二側壁側には、前記一対の収納部それぞれが備える延出片を互いに所定距離以下まで接近させる外力が作用した際に、前記一対の収納部それぞれの前記第二側壁が互いに離間する方向へ変位するのを阻止する阻止部が設けられ、
前記阻止部は、一方の前記収納部から他方の前記収納部に向かって突出する嵌合部が、他方の前記収納部に設けられた被嵌合部に嵌合することで、前記第二側壁が互いに離間する方向へ変位するのを阻止する構造とされ、
前記嵌合部は、当該嵌合部の突出方向から見て前記電線の軸方向と平行な方向の長さが前記電線の軸方向に垂直な方向の長さよりも長い形状とされるか、前記第二側壁との間に空隙をなす位置に形成されることにより、当該嵌合部又は前記第二側壁の変形を伴って前記嵌合部の先端が前記電線の軸方向へ変位するのを抑制してある
ことを特徴とする雑音電流吸収具。
【発明の詳細な説明】
【技術分野】
【０００１】
本発明は、雑音電流吸収具用の保持具、及び雑音電流吸収具に関する。
【背景技術】
【０００２】
従来、電線に取り付けられて当該電線を流れる雑音電流を吸収する雑音電流吸収具が知られている。この種の雑音電流吸収具の一つとして、互いに当接させると全体として筒状又は環状（以下、両形状のことを筒状と総称する。）になる一対の磁性体と、これらの磁性体が筒状とされた状態で両磁性体を保持可能な保持具とを備えるものがある。
【０００３】
このような構造の雑音電流吸収具を電線に対して取り付けると、筒状になる一対の磁性体が電線を外周側から取り囲み、これにより、一対の磁性体が磁気的に閉磁路を形成して、所期の雑音電流吸収能が発揮されることになる。
【０００４】
また、この種の雑音電流吸収具用の保持具としては、筒状周壁と円形中央窓部を有する側壁とによる中空筒体を二等分した筒状コア用分割型ホルダーにおいて、前記筒体の外方へ延びる、内面に複数個の突起を有する樋状片を、側壁外面の半円形窓部中央に帯状連結片を介して一体にそれぞれ設けたことを特徴とする筒状コア用ホルダーが提案されている（例えば、特許文献１参照。）。この筒状コア用ホルダーの場合、樋状片を電線に両側から当接させ、樋状片の上から束線バンドで緊縛することにより、ホルダーを電線に固定することができる、とされている。
【先行技術文献】
【特許文献】
【０００５】
【特許文献１】特開平７−２４０３１７号公報
【発明の概要】
【発明が解決しようとする課題】
【０００６】
しかし、上記特許文献１に記載された技術の場合、図７に示すように、ホルダー（保持具）９１と電線９２とを束線バンド９３で緊縛した際、一対の樋状片９４，９４間の間隔よりも電線９２の径が細いと、ホルダー９１を適切に装着できないことがある。
【０００７】
より詳しくは、束線バンド９３によって樋状片９４，９４が図７中に示す矢印Ｚ１，Ｚ２方向へ強く押圧されると、樋状片９４，９４の突設箇所とは反対側にある側壁９５，９５が図７中に示す矢印Ｚ３，Ｚ４方向へと変位することがある。この場合、ホルダー９１の内部に収納された一対のコア片（磁性体）９６，９６間にも隙間（図７中に示す間隔Ｇの隙間）が生じるため、コア片９６，９６による閉磁路が適切に形成されなくなり、所期の雑音電流吸収能が発揮されなくなるおそれがある。
【０００８】
このような問題は、上述のように電線９２の径が細い場合以外にも、例えば、電線９２の外被が柔らかくて潰れやすい場合にも発生し得る問題である。例えば、束線バンド９３で緊縛した際、電線９２の外被が潰れて一対の樋状片９４，９４が電線９２の外被に食い込めば、樋状片９４，９４間の間隔は、本来の電線９２の径よりも小さくなる。したがって、仮に電線９２の径と一対の樋状片９４，９４間の間隔が一致する組み合わせを選定していたとしても、上記のような問題が発生することになる。
【０００９】
本発明は、上記のような課題を解決可能なものであり、その目的の一つは、電線に装着された際に磁性体をより適切な状態で保持可能な雑音電流吸収具用の保持具、及び雑音電流吸収具を提供することにある。
【課題を解決するための手段】
【００１０】
以下に説明する保持具は、互いに当接させると全体として筒状又は環状になる一対の磁性体のそれぞれを収納する一対の収納部を有し、前記収納部それぞれに前記磁性体それぞれを収納して、前記収納部間に電線を挟み込むかたちで当該電線の外周に装着すると、前記筒状又は環状となった前記一対の磁性体が前記電線の外周を取り囲む位置で保持される状態になる雑音電流吸収具用の保持具であって、前記収納部は、前記電線の軸方向における前記収納部の両端のうち、一端を画定する第一側壁と、他端を画定する第二側壁と、前記第一側壁と前記第二側壁との間で前記収納部の外周部分を画定する周壁とを備え、前記第一側壁には、前記電線に沿って前記収納部の外側に向かって延出する延出片が設けられ、前記収納部の前記第二側壁側には、前記一対の収納部それぞれが備える延出片を互いに所定距離以下まで接近させる外力が作用した際に、前記一対の収納部それぞれの前記第二側壁が互いに離間する方向へ変位するのを阻止する阻止部が設けられ、前記阻止部は、一方の前記収納部から他方の前記収納部に向かって突出する嵌合部が、他方の前記収納部に設けられた被嵌合部に嵌合することで、前記第二側壁が互いに離間する方向へ変位するのを阻止する構造とされ、前記嵌合部は、当該嵌合部の突出方向から見て前記電線の軸方向と平行な方向の長さが前記電線の軸方向に垂直な方向の長さよりも長い形状とされるか、前記第二側壁との間に空隙をなす位置に形成されることにより、当該嵌合部又は前記第二側壁の変形を伴って前記嵌合部の先端が前記電線の軸方向へ変位するのを抑制してあることを特徴とする。
【００１１】
このような保持具を利用して雑音電流吸収具を構成すれば、延出片を電線の両側に配置して、その外周から何らかの部材（例えば、束線バンド等）で緊縛することにより、雑音電流吸収具を電線に対して強固に固定することができる。
【００１２】
しかも、一対の延出片間の間隔よりも電線の径が細い場合に、一対の延出片が外周側から強く緊縛されたとしても、上述のような阻止部が設けられているので、一対の収納部それぞれの第二側壁が互いに離間する方向へ変位することは阻止される。したがって、このような阻止部が設けられていないものに比べ、保持具によって保持された一対の磁性体間には隙間が生じにくくなり、一対の磁性体によって形成される磁気的な閉磁路が適切に維持されるため、良好な雑音吸収効果を確実に得ることができる。
【００１３】
また、上述した阻止部を構成する嵌合部は、当該嵌合部の突出方向から見て電線の軸方向と平行な方向の長さが電線の軸方向に垂直な方向の長さよりも長い形状とされていれば、電線の軸方向へ曲がりにくくなるので、嵌合部の先端が電線の軸方向へ変位するのを抑制できるようになる。また、嵌合部と第二側壁との間に空隙をなす位置に嵌合部が形成されていれば、第二側壁が変形しても、それに追従して嵌合部が曲がることはなくなるので、嵌合部の先端が電線の軸方向へ変位するのを抑制できるようになる。
【００１４】
したがって、これらのうち、いずれか一方又は両方の構成を採用すれば、嵌合部の先端が電線の軸方向へ変位しやすい構造となっているものに比べ、一対の第一側壁側を支点として一対の第二側壁間が離間する方向へ変位した際に、第二側壁間が離間しやすくなる方向へ嵌合部の先端が変位してしまうのを防止ないし抑制できる。よって、一対の磁性体間に隙間が生じるのを防止ないし抑制する効果を高めることができ、より一層良好な雑音吸収効果を期待することができるようになる。
【００１５】
また、以上のように構成された保持具において、前記嵌合部は、当該嵌合部の突出方向から見て前記電線の軸方向と平行な方向の長さが前記電線の軸方向に垂直な方向の長さよりも長い形状とされていて、しかも、前記電線の軸方向と平行な箇所において前記周壁と一体成形されるとともに、前記電線の軸方向に垂直な箇所において前記第二側壁と一体成形されていると好ましい。
【００１６】
このような保持具を利用して雑音電流吸収具を構成すれば、嵌合部が周壁及び第二側壁に対して一体成形されているので、嵌合部の曲げ剛性が高くなり、嵌合部の先端が電線の軸方向へ変位するのを、更に良好に防止ないし抑制することができる。
【００１７】
特に、嵌合部は、電線の軸方向と平行な方向の長さが電線の軸方向に垂直な方向の長さよりも長い形状とされているので、周壁と一体成形された部分の長さが第二側壁と一体成形された部分の長さよりも長くなる。したがって、概ね筒状体の一部に相当する形状とされる周壁と、概ね板状体に相当する形状とされる第二側壁とでは、第二側壁の方が曲げ剛性は低くなりやすいが、より曲げ剛性の高い周壁側が主となって嵌合部をしっかりと支持するので、第二側壁側が主となって嵌合部を支持するもの以上に、嵌合部の先端が変位するのを防止ないし抑制する効果を高めることができる。
【００１８】
また、以下に説明する雑音電流吸収具は、互いに当接させると全体として筒状又は環状になる一対の磁性体と、前記一対の磁性体のそれぞれを収納する一対の収納部を有し、前記収納部それぞれに前記磁性体それぞれを収納して、前記収納部間に電線を挟み込むかたちで当該電線の外周に装着すると、前記筒状又は環状となった前記一対の磁性体が前記電線の外周を取り囲む位置で保持される状態になる保持具とを備えた雑音電流吸収具であって、前記収納部は、前記電線の軸方向における前記収納部の両端のうち、一端を画定する第一側壁と、他端を画定する第二側壁と、前記第一側壁と前記第二側壁との間で前記収納部の外周部分を画定する周壁とを備え、前記第一側壁には、前記電線に沿って前記収納部の外側に向かって延出する延出片が設けられ、前記収納部の前記第二側壁側には、前記一対の収納部それぞれが備える延出片を互いに所定距離以下まで接近させる外力が作用した際に、前記一対の収納部それぞれの前記第二側壁が互いに離間する方向へ変位するのを阻止する阻止部が設けられ、前記阻止部は、一方の前記収納部から他方の前記収納部に向かって突出する嵌合部が、他方の前記収納部に設けられた被嵌合部に嵌合することで、前記第二側壁が互いに離間する方向へ変位するのを阻止する構造とされ、前記嵌合部は、当該嵌合部の突出方向から見て前記電線の軸方向と平行な方向の長さが前記電線の軸方向に垂直な方向の長さよりも長い形状とされるか、前記第二側壁との間に空隙をなす位置に形成されることにより、当該嵌合部又は前記第二側壁の変形を伴って前記嵌合部の先端が前記電線の軸方向へ変位するのを抑制してあることを特徴とする。
【００１９】
このように構成された雑音吸収具においては、保持具が先に説明した保持具と同等に構成され、既に説明した通りの作用、効果を奏するので、一対の磁性体間に隙間が生じるのを防止ないし抑制することができ、良好な雑音吸収効果を期待することができる。
【００２０】
なお、このように構成された雑音電流吸収具においても、前記嵌合部は、当該嵌合部の突出方向から見て前記電線の軸方向と平行な方向の長さが前記電線の軸方向に垂直な方向の長さよりも長い形状とされていて、しかも、前記電線の軸方向と平行な箇所において前記周壁と一体成形されるとともに、前記電線の軸方向に垂直な箇所において前記第二側壁と一体成形されていると好ましい。
【図面の簡単な説明】
【００２１】
【図１】（ａ）は雑音電流吸収具の使用状態を示す斜視図、（ｂ）雑音電流吸収具を示す斜視図。
【図２】（ａ）は保持具を示す斜視図、（ｂ）は磁性体を示す斜視図。
【図３】（ａ）は一対の収納部が係合していない状態を第一側壁側から見た説明図、（ｂ）は一対の収納部が係合した状態を第一側壁側から見た説明図。
【図４】雑音電流吸収具の使用状態を周壁側から見た説明図。
【図５】別の保持具の斜視図。
【図６】更に別の保持具の斜視図。
【図７】従来の雑音電流吸収具の問題点を示す説明図。
【発明を実施するための形態】
【００２２】
次に、本発明の実施形態について、具体的な事例を挙げて説明する。なお、以下の説明においては、必要に応じて図中に併記した上下左右前後の各方向を利用して説明を行う。ただし、これらの各方向は、雑音電流吸収具ないし保持具を構成する各部の相対的な位置関係を簡潔に説明するために規定した方向にすぎない。実際に雑音電流吸収具ないし保持具を利用するに当たって、雑音電流吸収具ないし保持具がどのような方向に向けられるかは任意であり、例えば、図中に示す上下方向が重力との関係で鉛直方向とは一致しない状態で使用されてもかまわない。
【００２３】
［第一の事例］
図１（ａ）及び図１（ｂ）に示す雑音電流吸収具１は、電線２を流れる雑音電流を吸収するために電線２の外周に装着されるもので、樹脂製の保持具３と、磁性材料（本実施形態ではフェライト）製の筒状磁性体５とを備えている。保持具３は、一対の樹脂部品３Ａ，３Ａを組み合わせて構成され、筒状磁性体５は、一対の磁性体５Ａ，５Ａを組み合わせて構成される。
【００２４】
ただし、一対の樹脂部品３Ａ，３Ａは同形状、一対の磁性体５Ａ，５Ａも同形状なので、図１（ａ）及び図１（ｂ）においては、図中下側に配置された樹脂部品３Ａと磁性体５Ａだけを実線で明示してある。実際には、図中上側にも樹脂部品３Ａ（図１（ａ）中の仮想線参照。）と磁性体５Ａ（図示略）が、上下左右を１８０度反転させた状態で配設される。
【００２５】
電線２は、一対の磁性体５Ａ，５Ａ間に挟み込まれる位置に配置され、これにより、筒状磁性体５の内周側に通された状態とされる。なお、以下は、図中下側に配置された樹脂部品３Ａと磁性体５Ａを参照しつつ説明を続ける。
【００２６】
樹脂部品３Ａは、図２（ａ）に示すように、磁性体５Ａを収納可能な収納部１０を備えている。収納部１０は、図中前端側を画定する第一側壁１１と、図中後端側を画定する第二側壁１２と、第一側壁１１と第二側壁１２との間で外周側を画定する周壁１３とを有し、図中上面側は磁性体５Ａを出し入れするための開口面１５とされている。
【００２７】
周壁１３の内面側で、開口面１５の図中下方となる位置には、収納部１０に収納された磁性体５Ａを開口面側（図中上方向）に向かって付勢する付勢片１６が突設されている。また、周壁１３の内面側には、図中左右一対の突起部１７，１７が形成されている（ただし、図２（ａ）では左側の突起部１７だけを図示。）。
【００２８】
周壁１３の図中左端略中央には、図中上向きに突出する係合部１８が形成され、周壁１３の図中右端略中央には、上記係合部１８を図中下向きにして挿し込むと係合部１８と係合する被係合部１９が設けられている。
【００２９】
これら係合部１８及び被係合部１９は、一対の樹脂部品３Ａ，３Ａそれぞれが備える開口面１５同士を突き合わせる向きにして合わせた際に、一方の樹脂部品３Ａが有する係合部１８と他方の樹脂部品３Ａが有する被係合部１９が係合するとともに、前記他方の樹脂部品３Ａが有する係合部１８と前記一方の樹脂部品３Ａが有する被係合部１９が係合する。
【００３０】
第一側壁１１及び第二側壁１２には、それぞれ略半円形の切欠１１Ａ，１２Ａが形成されている。そして、第一側壁１１側の切欠１１Ａの周縁略中央付近から収納部１０の外方に向かって延出片２０が延出している。
【００３１】
また、周壁１３の図中後端付近、かつ第二側壁１２の図中左端付近には、図中上向きに突出する嵌合部２１が形成され、周壁１３の図中後端付近、かつ第二側壁１２の図中右端付近には、上記嵌合部２１を図中下向きにして挿し込むと嵌合部２１が嵌合する被嵌合部２２が設けられている。
【００３２】
これら嵌合部２１及び被嵌合部２２は、一対の樹脂部品３Ａ，３Ａそれぞれが備える開口面１５同士を突き合わせる向きにして合わせた際に、一方の樹脂部品３Ａが有する嵌合部２１と他方の樹脂部品３Ａが有する被嵌合部２２が嵌合するとともに、前記他方の樹脂部品３Ａが有する嵌合部２１と前記一方の樹脂部品３Ａが有する被嵌合部２２が嵌合する。
【００３３】
磁性体５Ａは、図２（ｂ）に示すように、筒状体を軸方向に平行な面で二分割してなる形状とされている。磁性体５Ａの中央部には、軸方向に垂直な断面の形状が半円形とされた電線挿通溝２５が軸方向に沿って形成され、電線挿通溝２５の左右両側には、磁性体５Ａ，５Ａを組み合わせて筒状磁性体５を構成する際に互いに当接する状態とされる当接面２６が形成されている。
【００３４】
また、磁性体５Ａの外周側には、軸方向（図中前後方向）に延びる係合溝２７，２７が形成されている。これらの係合溝２７，２７は、磁性体５Ａが収納部１０に嵌め込まれた際に、上述した突起部１７，１７と係合する。
【００３５】
以上のような雑音電流吸収具１は、図３（ａ）に示すように、開口面１５，１５同士を離すことで保持具３が開状態にされると、収納部１０，１０に対する磁性体５Ａ，５Ａの出し入れが可能となる。ただし、各磁性体５Ａの係合溝２７，２７には、突起部１７，１７とが係合（図示せず）しているため、磁性体５Ａが容易に収納部１０，１０から抜け落ちてしまうことはない。なお、この状態では磁性体５Ａ同士は当接しておらず、筒状磁性体５を形成する状態にはない。
【００３６】
一方、図３（ｂ）に示すように、収納部１０，１０の開口面１５，１５同士を合わせることで保持具３が閉状態にされると、収納する磁性体５Ａの出し入れが不能となる。この状態では、一方の樹脂部品３Ａが有する係合部１８と他方の樹脂部品３Ａが有する被係合部１９が係合するとともに、前記他方の樹脂部品３Ａが有する係合部１８と前記一方の樹脂部品３Ａが有する被係合部１９が係合しているため、保持具３は閉状態が維持される。
【００３７】
また、保持具３が閉状態になると、一方の樹脂部品３Ａが有する嵌合部２１と他方の樹脂部品３Ａが有する被嵌合部２２が嵌合するとともに、前記他方の樹脂部品３Ａが有する嵌合部２１と前記一方の樹脂部品３Ａが有する被嵌合部２２が嵌合する。これら嵌合部２１，２１及び被嵌合部２２，２２の作用については後述する。
【００３８】
保持具３が閉状態になると、磁性体５Ａ，５Ａは、互いの当接面２６，２６同士が当接して、これにより、筒状磁性体５が構成されることになる。この筒状磁性体５の貫通孔（すなわち、２つの電線挿通溝２５，２５に囲まれた領域）は、電線２を挿通するための挿通孔２８となる。なお、磁性体５Ａ，５Ａは付勢片１６により互いに向かって付勢される状態にあるため、磁性体５Ａ，５Ａ同士は、その当接面２６同士が確実に当接し、その当接状態が維持される。
【００３９】
第一側壁１１及び第二側壁１２それぞれの切欠１１Ａ，１２Ａは、磁性体５Ａ，５Ａの電線挿通溝２５，２５に合わせて形成されているため、保持具３を閉じても挿通孔２８が塞がれることはない。
【００４０】
雑音電流吸収具１を電線２に対して取り付ける際には、保持具３を開状態にして電線挿通溝２５，２５間に電線２を配置し、保持具３を閉状態とすることで、雑音電流吸収具１が電線２の外周に装着される。また、雑音電流吸収具１を電線２に対して強固に固定したい場合には、図４に示すように、電線２を挟む両側の位置にある延出片２０，２０の外周側から、何らかの部材（例えば、束線バンド３０）で電線２及び延出片２０，２０を緊縛する。
【００４１】
このとき、電線２の径が延出片２０，２０間の距離よりも細い場合、あるいは、電線２の外被が柔らかくて延出片２０，２０が電線２に対して食い込む場合などには、延出片２０，２０間の距離が本来の設計寸法よりも接近する状態となる。この場合、［発明が解決しようとする課題］の欄で図示を交えて説明した通り、緊縛された方の端部（第一側壁１１側）とは反対側の端部（第二側壁１２側）では、上下にある第二側壁１２，１２間を上下に離間させようとする力が作用する。
【００４２】
しかし、この保持具３では、第二側壁１２，１２側となる位置に、嵌合部２１，２１及び被嵌合部２２，２２が設けられ、これらが上述の通り互いに嵌合しているため、これにより、第二側壁１２，１２の離間が阻止される。すなわち、嵌合部２１，２１及び被嵌合部２２，２２は、一対の収納部１０，１０それぞれの第二側壁１２，１２が互いに離間する方向へ変位するのを阻止する阻止部として機能している。
【００４３】
したがって、収納部１０，１０の離間が防止ないし抑制され、保持具３は閉状態が適切に維持される。その結果、一対の収納部１０，１０２内に収納される磁性体５Ａ，５Ａ（詳しくは当接面２６，２６）同士が離れることがなく、一対の磁性体５Ａ，５Ａによって磁気的な閉磁路が形成された状態が適切に維持されるため、雑音吸収効果を確実に得ることができる。
【００４４】
また特に、上記嵌合部２１の場合、嵌合部２１の突出方向（図中上方）から見て電線２の軸方向と平行な方向（図中前後方向）の長さＬ１が電線２の軸方向に垂直な方向（図中左右方向）の長さＬ２よりも長い形状（すなわち、Ｌ１＞Ｌ２）とされている。そのため、前後方向の厚みが薄い場合（すなわち、Ｌ１＜Ｌ２）に比べ、嵌合部２１は電線２の軸方向へ曲がりにくくなり、嵌合部２１の変形に伴って嵌合部２１の先端が電線２の軸方向へ変位するのを抑制することができる。
【００４５】
したがって、一対の第二側壁１２，１２間を離間させようとする力が作用した際に、第二側壁１２，１２間が離間しやすくなる方向へ嵌合部２１，２１の先端が変位してしまうのを防止ないし抑制できる。これにより、一対の磁性体５Ａ，５Ａ間に隙間が生じるのを防止ないし抑制する効果を高めることができる。
【００４６】
また、上記嵌合部２１の場合、嵌合部２１が第二側壁１２及び周壁１３に対して一体成形されているので、この点でも嵌合部２１の曲げ剛性が高くなり、嵌合部２１の先端が電線２の軸方向（図中前後方向）へ変位するのを、更に良好に防止ないし抑制することができる。第二側壁１２と周壁１３とを比べると、第二側壁１２は平面状、周壁１３は円筒曲面状となっている。そのため、壁の肉厚が同等であれば周壁１３の方が第二側壁１２よりも剛性が高くなる。上記嵌合部２１の場合、上述の通り、周壁１３に対して一体成形されている部分の長さＬ１が、第二側壁１２に対して一体成形されている部分の長さＬ２よりも長くされている（すなわち、Ｌ１＞Ｌ２）。したがって、第二側壁１２が多少変形したとしても、嵌合部２１は周壁１３によってしっかりと支持され、第二側壁１２の変形に伴って嵌合部２１の先端が変位することも抑制される。
【００４７】
［第二の事例］
次に、別の事例について説明する。なお、以下に説明する事例は、上述した第一の事例と共通する構成が多いので、第一の事例との相違点を中心に詳述し、共通する構成に関しては、第一の事例と同じ符号を付すだけにとどめ、その詳細な説明を省略する。
【００４８】
上述した第一の事例では、嵌合部２１の前後方向長Ｌ１と左右方向長Ｌ２との関係をＬ１＞Ｌ２とすることで、第二側壁１２が多少変形したとしても、嵌合部２１は周壁１３によってしっかりと支持される構造としてあったが、第二側壁１２が変形した場合に、嵌合部２１に与える影響を排除する手段としては、以下のような構成も考え得る。
【００４９】
すなわち、図５に示す事例においては、嵌合部２１と第二側壁１２との間に間隔Ｇの空隙３１をなす位置に嵌合部２１が形成されている。すなわち、嵌合部２１は、周壁１３に対して一体成形されているものの、第二側壁１２からは離間した状態にある。
【００５０】
このような構成を採用すれば、第二側壁１２が多少変形したとしても、それに追従して嵌合部２１が曲がることはなくなるので、嵌合部２１の先端が電線２の軸方向（図中前後方向）へ変位するのを抑制することができる。
【００５１】
したがって、このような構成を採用しても、一対の第二側壁１２，１２間を離間させようとする力が作用した際に、第二側壁１２，１２間が離間しやすくなる方向へ嵌合部２１，２１の先端が変位してしまうのを防止ないし抑制できる。これにより、一対の磁性体５Ａ，５Ａ間に隙間が生じるのを防止ないし抑制する効果を高めることができる。
【００５２】
［第三の事例］
上記第二の事例のように、嵌合部２１と第二側壁１２との間に間隔Ｇの空隙３１をなす位置に嵌合部２１が形成されていれば、第二側壁１２が多少変形したとしても、それに追従して嵌合部２１が曲がることはなくなる。
【００５３】
したがって、このような対策だけで嵌合部２１の曲げ剛性を十分に確保できる場合には、図６に示すように、嵌合部２１の前後方向長Ｌ１と左右方向長Ｌ２との関係をＬ１＜Ｌ２としてもかまわない。すなわち、上記第一の事例〜第三の事例として開示した構成のうち、いずれの構成を採用して嵌合部２１の曲げ剛性を高めるかは、要求される剛性を考慮して任意に選定すればよい。第二側壁１２の変形による影響を排除しつつ嵌合部２１の剛性を高めたい場合には、第二の事例が好適であり、第二側壁１２の変形を過度に考慮しなくてもよい場合には、第一の事例が好適である。
【００５４】
［変形例等］
以上、本発明の実施形態について説明したが、本発明は上記の具体的な事例に限定されず、この他にも種々の形態で実施することができる。
【００５５】
例えば、上記各事例においては、阻止部として設けられた嵌合部２１及び被嵌合部２２が、収納部１０の後端側（第二側壁１２の近傍）に設けられていたが、これに加えて、収納部１０の前端側（第一側壁１１の近傍）にも同等な阻止部（嵌合部２１及び被嵌合部２２）を併設してもよい。
【００５６】
また、上記各事例においては、阻止部として設けられた嵌合部２１及び被嵌合部２２が互いに嵌合することのみを説明したが、これらが嵌合したときの具体的形態としては、嵌合部２１が被嵌合部２２に対して圧入されるもの、嵌合部２１が被嵌合部２２に対して嵌入された際にいずれか一方にある凸部が他方にある凸部又は凹部に引っかかるものなど、どのような形態になっていてもよい。また、被嵌合部２２そのものの具体的形態としては、有底穴状のもの、貫通孔状のもの、溝状のものなど、嵌合部２１が嵌入された際に、それを受け入れて嵌合状態になるものであれば何でもよい。
【００５７】
さらに、上記各事例においては、雑音吸収効果を得る対象物として電線２を例示したが、この電線は電力線、信号線のいずれであってもよく、雑音電流（ノイズ電流）の伝播が考えられるもの全てを本発明の適用対象とすることができる。
【符号の説明】
【００５８】
１…雑音電流吸収具、２…電線、３…保持具、３Ａ…樹脂部品、５…筒状磁性体、５Ａ…磁性体、１０…収納部、１１…第一側壁、１２…第二側壁、１１Ａ，１２Ａ…切欠、１３…周壁、１５…開口面、１６…付勢片、１７…突起部、１８…係合部、１９…被係合部、２０…延出片、２１…嵌合部、２２…被嵌合部、２５…電線挿通溝、２６…当接面、２７…係合溝、２８…挿通孔、３０…束線バンド、３１…空隙、９１…ホルダー、９２…電線、９３…束線バンド、９４…樋状片、９５…側壁、９６…コア片。
【図１】
2014135871.tif 000003
【図２】
2014135871.tif 000004
【図３】
2014135871.tif 000005
【図４】
2014135871.tif 000006
【図５】
2014135871.tif 000007
【図６】
2014135871.tif 000008
【図７】
2014135871.tif 000009